(57)【特許請求の範囲】
【請求項１】
映像音声放送を受信して得た映像音声データを含む複数の番組データのそれぞれを、録画日時、録画曜日、放送チャンネル番号、及び各番組のデータ量とともに第一の記録媒体へ記録し再生する第一の記録再生手段、
前記第一の記録媒体に記録された複数の番組データの中から一連の関連する番組データを、前記録画日時、前記録画曜日、前記放送チャンネル番号の少なくとも一つに基づいて抽出し、抽出した番組データのそれぞれに同一のダビングＩＤを付加する関連付け手段、
前記同一のダビングＩＤを付加された複数の番組データを、外部から指定された複数個の群に分類する分類手段、
前記第一の記録再生手段で再生出力した映像音声データを任意のビットレートの映像音声データに符号化する符号化手段、
前記分類された各群のそれぞれのデータ量が所定のデータ量を超えるとき、当該所定のデータ量を超える群に属する番組データのうち少なくとも一つを、前記符号化手段によってビットレートを変更し、前記所定の容量を有する挿脱自在な第二の記録媒体へ録画し再生する第二の記録再生手段、
前記第二の記録再生手段が抽出した１つの群内の番組データのうち、前記符号化手段がビットレートを変更する番組を、ユーザが指定する番組指定手段を備えたことを特徴とする記録再生装置。
【請求項２】
映像音声放送を受信して得た映像音声データを含む複数の番組データのそれぞれを、録画日時、録画曜日、放送チャンネル番号、及び各番組のデータ量とともに第一の記録媒体へ記録し再生する第一の記録再生手段、
前記第一の記録媒体に記録された複数の番組データの中から一連の関連する番組データを、前記録画日時、前記録画曜日、前記放送チャンネル番号の少なくとも一つに基づいて抽出し、抽出した番組データのそれぞれに同一のダビングＩＤを付加する関連付け手段、
前記同一のダビングＩＤを付加された複数の番組データを、外部から指定された複数個の群に分類する分類手段、
前記第一の記録再生手段で再生出力した映像音声データを任意のビットレートの映像音声データに符号化する符号化手段、
前記分類された各群のそれぞれのデータ量が所定のデータ量を超えるとき、当該所定のデータ量を超える群に属する番組データのうち少なくとも一つを、前記符号化手段によってビットレートを変更し、前記所定の容量を有する挿脱自在な第二の記録媒体へ録画し再生する第二の記録再生手段を備え、
前記関連付け手段によるダビングＩＤの付加は、前記第一の記録媒体への記録済みの前記番組データに対して実行されることを特徴とする記録再生装置。
【請求項３】
前記関連付け手段によるダビングＩＤの付加は、前記第一の記録媒体への記録済みの前記番組データに対して実行されることを特徴とする請求項１に記録再生装置。
【請求項４】
映像音声放送を受信して得た映像音声データを含む複数の番組データのそれぞれを、録画日時、録画曜日、放送チャンネル番号、及び各番組のデータ量とともに第一の記録媒体へ記録し再生する第一の記録再生手段、
前記第一の記録媒体に記録された複数の番組データの中から一連の関連する番組データを、前記録画日時、前記録画曜日、前記放送チャンネル番号の少なくとも一つに基づいて抽出し、抽出した番組データのそれぞれに同一のダビングＩＤを付加する関連付け手段、
前記同一のダビングＩＤを付加された複数の番組データを、外部から指定された複数個の群に分類する分類手段、
前記第一の記録再生手段で再生出力した映像音声データを任意のビットレートの映像音声データに符号化する符号化手段、
前記分類された各群のそれぞれのデータ量が所定のデータ量を超えるとき、当該所定のデータ量を超える群に属する番組データのうち少なくとも一つを、前記符号化手段によってビットレートを変更し、前記所定の容量を有する挿脱自在な第二の記録媒体へ録画し再生する第二の記録再生手段、
ダビングを開始するための押しボタン、
前記押しボタンが押し下げられたとき、前記関連付け手段による前記ダビングＩＤの付加、前記分類手段による前記複数個の群への分類、前記第一の記録再生手段による前記第一の記録媒体の再生、前記符号化手段によるビットレートの変更、前記第二の記録再生手段による第二の記録媒体への記録を自動的に進める予約録画制御手段を備えたことを特徴とする記録再生装置。
【発明の詳細な説明】
【技術分野】
【０００１】
本発明は、大容量記録媒体に記録されている種種雑多な番組の中から、同じ系統の複数番組（連続番組）を一連の番組として関連付けて、より小容量の複数の記録媒体に分けて保存することができる記録再生装置に関するものである。
【背景技術】
【０００２】
近年、例えば特許文献１に開示されているように、ハードディスクドライブとＤＶＤドライブとを備え、アナログチューナーからのアナログ映像音声信号をＭＰＥＧエンコーダにてＭＰＥＧ−ＰＳ（ＭＰＥＧ  Ｐｒｏｇｒａｍ  Ｓｔｒｅａｍ）方式で符号化（以降ＭＰＥＧエンコードと呼ぶ）し、ハードディスクもしくはＤＶＤ−Ｒなどのリムーバブル記録媒体にＭＰＥＧエンコードされた映像音声データをデジタル記録することが可能なハイブリッドレコーダーが開発されている。
【０００３】
ハイブリッドレコーダーでは、ＭＰＥＧエンコードの際、記録媒体に記録可能な範囲で符号化ビットレートを任意に設定でき、符号化ビットレートが高いほど高画質、高音質の記録が可能である。
【０００４】
このようなハイブリッドレコーダでは、現時点ではＤＶＤ−Ｒ１枚の記録可能容量に比してハードディスクの容量の方がはるかに大きく、また高速であるため、受信中の放送番組はハードディスクに記録し、後に、ハードディスクからＤＶＤ−Ｒ媒体にデータ転送して複写する（以下、ダビングと言う）ことが行われている。
【０００５】
例えば、特許文献１に開示されたものでは２種類のダビング方法がある。以下、特許文献１の図１の図示符号を用いて説明する。
第一のダビング方法は、ハードディスクＢに記録されたＭＰＥＧエンコードされた映像音声データをハードディスクＢの復調部６によって順次再生する。その際、第３切替部１５及び第２切替部１４とを介してハードディスクＢの復調部６と光ディスクＡの変調部３とが接続されており、再生された映像音声データは光ディスクＡの変調部３に入力され、そのまま光ディスクＡのディスクＤＳに複写することによりダビングを実現する。
【０００６】
上記第一のダビング方法では、単なるデジタルデータの転送および複写であり、復調部６、および変調部１４およびハードディスクＨＤおよび光ディスクＤＳが許す限りのデータ転送速度にてダビングが実現できるため、高速なダビングが可能となる。近年、８倍速でダビングが可能な製品も発売されている。この方法によるダビングでは、単なるデータの複写であるため、ハードディスクＨＤに記録した際の番組のデータ量は光ディスクへダビングした際にも不変であるし、画質／音質も全く変わることがない。
【０００７】
また、第二のダビング方法は、復調部６から出力された信号を、一旦、画像音声伸張部１６によってＭＰＥＧデコードを行った後、第１切替部１２を介して画像音声圧縮部１３により任意のビットレートにて再度ＭＰＥＧエンコードを行い、第２切替部１４を介して変調部３により光ディスクＤＳに記録することによりダビングを実現する。この第二のダビング方法では、一旦ＭＰＥＧデコードし再度ＭＰＥＧエンコードするため、ダビングしようとする番組の実時間にダビング速度が支配され、１時間番組なら１時間のダビング時間がかかることになる。しかし、光ディスクへ記録する際のビットレートをハードディスクに記録したビットレートとは異なるビットレートとすることが可能であり、再記録時の番組のデータ量を変更できるという利点がある。
上記第一、第二のダビング方法を整理すると、第一のダビング方法では、同じビットレートのまま、すなわち同じ画質および音質を保ったままでのＤＶＤ−Ｒへのダビングが可能である。この場合、ハードディスクからのデータ読み出し速度と、ＤＶＤドライブへのデータ転送速度、およびＤＶＤ−Ｒへの書き込み速度のいずれもが許容する範囲内での高速なダビング（以下、高速ダビングと呼ぶ）が可能である。この場合、ハードディスクに記録されていた番組のデータ量とＤＶＤに複写されたデータ量とは当然同じである。
【０００８】
また、第二のダビング方法では、一旦ハードディスクから再生した映像音声データをＭＰＥＧデコーダにて復号した（以降ＭＰＥＧデコードと呼ぶ）復号信号を、ＭＥＰＥＧエンコーダに入力し、ハードディスクに記録されているビットレートとは異なるビットレートにて再度ＭＰＥＧエンコードしたのち、その映像音声データをＤＶＤ−Ｒへ記録することが可能である。この場合、ハードディスクに記録されていた番組のデータ量とＤＶＤに複写されたデータ量とは異なることとなり、番組の複数回数分を入れるのにディスク容量が少し足りない場合などには、この方法でデータ量を減らしてダビングすることで、希望回数の番組を収録することが出来るようになるという利点がある。
【０００９】
ところで、ハードディスクに記録された番組などをＤＶＤ−Ｒなどのディスクに複写する際には、後の分類、整理を容易にするため、同じ系統の番組を同じディスクに集めて複写するのが一般的である。例えばシリーズものの特定の連続番組、例えば毎週放送される「水戸黄門」とか「のどじまん」をそれぞれ専用のディスクに分けて収録する方が便利である。しかし、ディスク１枚に収納できる番組回数（データ容量）には限りがあるから、シリーズものの番組のあまりに多数回分を１枚に入れることは難しく、当然、複数枚に分けて複写することになる。
ユーザは、ダビングの開始に先立ち、ダビングしようとする番組それぞれに対して、個別に、上記、第一、第二のいずれの方法を選択すべきか検討した後、ダビングを実行することとなる。第一の方法の場合、ユーザーが希望する一連の番組を記録済み番組リストから検索して抽出し、ダビングに使用するＤＶＤ−Ｒなどの容量および使用する枚数に応じて、１枚に入る番組数、番組の組み合わせなどをユーザーが考えながら、抽出した複数個の番組を手動でグループ分けした後、ダビングを開始しなければならないので、操作の複雑さや手間がかかるという問題点があった。
【００１０】
また、ＤＶＤ−Ｒ１枚に、希望する回数分の番組がうまく入りきらない場合、上記第二のダビング方法により一旦ＭＰＥＧデコードした後、ビットレートを変更して再度ＭＰＥＧエンコードし、ＤＶＤ−Ｒへ記録するという作業をユーザーが行わなければならず、操作の複雑さや手間がかかるという問題点があった。
【００１１】
【特許文献１】特開２００４−１２７４７０「ダビング装置及びその制御方法」
【発明の開示】
【発明が解決しようとする課題】
【００１２】
従来の記録再生装置は以上のように構成されているので、一旦ハードディスクなどに録画しておいた一連となった関連のある複数番組を、ハードディスクから複数枚のＤＶＤ−Ｒなどにダビングしようとする際には、操作の複雑さや手間がかかるという問題があった。
【００１３】
また、ＤＶＤ−Ｒ１枚に入る番組数がうまく設定できない場合、一旦ＭＰＥＧデコードした後、ビットレートを変更して再度ＭＰＥＧエンコードし、ＤＶＤ−Ｒへ記録するという作業をユーザーが行わなければならず、操作が複雑で難しいという問題点があった。
【００１４】
この発明は上記のような問題点を解消するためになされたもので、ユーザーによる複雑な操作を必要とせず、ハードディスクに記録された一連の関連ある番組を複数枚のＤＶＤ−Ｒなどのリムーバブル記録媒体に分けてダビングすることを簡単に行うことが可能な記録再生装置を提供することを目的とする。
【課題を解決するための手段】
【００１５】
この発明の記録再生装置は、映像音声放送を受信して得た映像音声データを含む複数の番組データのそれぞれを、録画日時、録画曜日、放送チャンネル番号、及び各番組のデータ量とともに第一の記録媒体へ記録し再生する第一の記録再生手段、
前記第一の記録媒体に記録された複数の番組データの中から一連の関連する番組データを、前記録画日時、前記録画曜日、前記放送チャンネル番号の少なくとも一つに基づいて抽出し、抽出した番組データのそれぞれに同一のダビングＩＤを付加する関連付け手段、
前記同一のダビングＩＤを付加された複数の番組データを、外部から指定された複数個の群に分類する分類手段、
前記第一の記録再生手段で再生出力した映像音声データを任意のビットレートの映像音声データに符号化する符号化手段、
前記分類された各群のそれぞれのデータ量が所定のデータ量を超えるとき、当該所定のデータ量を超える群に属する番組データのうち少なくとも一つを、前記符号化手段によってビットレートを変更し、前記所定の容量を有する挿脱自在な第二の記録媒体へ録画し再生する第二の記録再生手段、
前記第二の記録再生手段が抽出した１つの群内の番組データのうち、前記符号化手段がビットレートを変更する番組を、ユーザが指定する番組指定手段を備えたものである。
【発明の効果】
【００１６】
この発明は、以上説明したように構成されているので、ハードディスクなどの固定記録媒体にあらかじめ一時的に記録しておいた連続ドラマのような一連となった複数種類の連続番組の中から、任意の連続番組だけを抽出して複数のリムーバブル記録媒体に分けてダビングしようとする際に、一連の番組を自動的に抽出して、さらに一連の番組を記録容量およびリムーバブル記録媒体の個数と容量に応じて複数の番組群に分類し、リムーバブル記録媒体に順次ダビングできるようにしたので、人が複雑な操作を行うことなく一連の番組を所定個数のリムーバブル記録媒体に保存することができる。
【発明を実施するための最良の形態】
【００１７】
実施の形態１．
本発明の実施の形態１を図面に基づいて説明する。図１は、本発明の記録再生装置の構成を示すブロック図である。図において、チューナ１０１はアンテナで受信した映像音声放送の電波から所望のチャンネルを選局する。チューナ１０１の出力信号は切り換えスイッチ１０２を経由して、チューナー１０１からの番組映像音声出力を映像音声データにＭＰＥＧエンコードする符号化手段１０３に入力される。符号化手段１０３の出力は入出力を自由に切り換えられる３端子のマトリックススイッチ１０４に入力される。マトリックススイッチ１０４から、記録媒体１０６（ここではＤＶＤ−Ｒとして説明するがこれに限らない）に符号化手段１０３の出力などを記録し、又再生する第二の記録再生手段１０５へ接続される。マトリックススイッチ１０４からハードディスク１０７に符号化手段１０３の出力などを記録し再生する第一の記録再生手段１１０にも接続されている。ハードディスク１０７は第一の記録媒体、ＤＶＤ−Ｒ１０６はあらかじめ容量がわかっている挿脱自在な第二の記録媒体である。
【００１８】
第一、第二の記録再生手段１０５、１１０のＭＰＥＧエンコードされている映像音声データはマトリックススイッチ１０４を介して、これらの信号をアナログ映像音声信号にＭＰＥＧデコードする復号化手段１１１に入力される。予約録画制御手段１１５は、時計１１３の時刻情報を元に番組を予約録画する場合の予約録画全般を制御する。関連付け手段１０８は予約録画制御手段１１５からの情報に基づき関連ある番組にダビング用ＩＤを与える。分類手段１０９はダビング用ＩＤにより関連付けられたｎ個（ｎは自然数）の複数番組をｍ個（ｍはｎ個以下の自然数）に分類する。また、図示しないユーザが各種設定操作を行うための図示しない押しボタンなどに接続されたユーザーＩＦ１５０を備えている。
【００１９】
関連付け手段１０８と分類手段１０９については図７にその詳細構成を示している。図７の説明は後述する。
次に、図１、図７の記録再生装置の動作について説明する。なお、説明の都合上、映像音声データは番組データとも言う。
まず初めに、録画時の動作について説明する。ユーザーがユーザーＩＦ１５０を介して録画予約を行うと、予約録画制御部１１５において図２のような予約録画リスト３０１が生成される。予約録画制御部１１５で生成した予約録画リスト３０１の内容のうち、ユーザが入力可能なものは、例えば録画日付（録画開始時刻の意味）、曜日、チャンネル、開始／終了時刻、タイトル、ジャンルである。関連付け手段１０８は図７に示すように、ダビングＩＤ付加部１０８ａ、録画曜日判別部１０８ｂ，録画開始時刻判別部１０８ｃ，チャンネル判別部１０８ｄ、タイトル判別部１０８ｅを有する。録画曜日判別部１０８ｂ，録画開始時刻判別部１０８ｃ，チャンネル判別部１０８ｄ、タイトル判別部１０８ｅでは入力された曜日、チャンネル、開始／終了時刻、タイトルなどの項目が、予約録画リスト３０１の中、あるいは図３に示す録画済みリスト３０２内で一致する番組があるかどうかを判別し、その判別結果にもとづいて、ダビングＩＤ付加部１０８ａが一致する全ての録画予約に同じ番号のダビングＩＤを付加する。なお、図２などの各図で「容量」と記載している欄の意味は「データの大きさ、即ちデータの量」を示している。
【００２０】
データ量は開始／終了の時間差から換算して自動的に算出できる。図２では、予約録画リスト３０１の１番目の番組に対して録画済み番組リスト３０２に録画開始時刻および曜日およびチャンネルが一致した番組があり、ダビングＩＤとして「００１」が付加されていたため、同じＩＤである「００１」を付加した場合を示している。そして録画開始時刻になると予約録画制御手段１１５の指令に基づき、切り換えスイッチ１０２がチューナー１０１側に切り換わり、符号化手段１０３はチューナー１０１によって選局された所望の番組のアナログ映像音声信号のＭＰＥＧエンコードを開始する。マトリックススイッチ１０４は符号化手段１０３と第一の記録再生手段１１０とを接続しており、ＭＰＥＧエンコードされた所望の番組の映像音声データが第一の記録再生手段１１０によってハードディスク１０７へと記録される。その際、記録された番組の予約録画情報が、図３に示すようにそのまま録画済み番組リスト３０２に追加されて、関連付け手段１０８にて記憶される。図では９月１９日（月）に予約録画した番組が録画済み番組リスト３０２中の２９番目の番組として追加されている場合を示している。
【００２１】
関連付け手段１０８においてダビングＩＤを付加する際の動作の詳細を、フローチャートを用いて詳しく説明する。図４はダビングＩＤを付加する動作のフローチャートである。ステップＳ２００において、録画曜日判別部１０８ｂが、新たに予約された番組の録画曜日と一致する番組が予約録画リスト３０１または録画済み番組リスト３０２中にあるかどうかを判別する。一致する番組があればステップＳ２０１に移り、なければ処理を終了する。
ステップＳ２０１において、録画開始時刻判別部１０８ｃが、録画曜日が一致した番組のうち録画開始時刻が新たに予約した番組の録画開始時刻とある範囲内（例えば２時間以内）で一致する番組があるかどうかを判別し、範囲内の番組があればステップＳ２０２へ移り、なければ一連の番組がないと判別し処理を終了する。
【００２２】
ステップＳ２０２において、チャンネル判別部１０８ｄが、ステップＳ２０１において範囲内であった番組のうち、記録チャンネルが新たに予約した番組のチャンネルと一致する番組があれば一連の番組であると判別してステップＳ２０３に移り、なければ一連の番組がないと判別して処理を終了する。
ステップＳ２０３において、ダビングＩＤ付加部１０８ａは、ステップＳ２０２までの処理で一連の番組であると判別した番組に既にダビングＩＤが付加されているかどうかを判別し、付加されていれば、ステップＳ２０４に移って同じダビングＩＤを新たに予約した番組にも付加した後、処理を終了する。付加されていなければ、ステップＳ２０５に移り、新たなＩＤを両者に付加して処理を終了する。
【００２３】
次にダビングを行う動作について説明する。
ダビング時には、分類手段１０９のダビング用番組リスト生成部１０９ａが、同じダビングＩＤが付加された番組を抽出して図５に示すダビング用番組リスト３０３を生成する。図５では００１のＩＤが付加された番組を抽出した例を示している。さらに、ディスク配分決定部１０９ｂが、ダビングに使用するディスクの枚数ｍ（ｍは自然数でここでは人が入力するものとして説明する）に応じて、抽出した番組を図６のダビング用分割リスト３０４ａ，３０４ｂ，３０４ｃ（ここではｍ＝３の例）のように自動で分類する。
【００２４】
例えば、本願出願時点ではＤＶＤ−Ｒのディスクの容量は一般的に４．７Ｇｂｙｔｅ（ギガバイト）であるが、３枚のディスクを使用するようにあらかじめユーザーにより設定されていたとする。具体的には図５のダビング用番組リストの画面内に「希望する使用枚数」の入力欄が表示され、ここにユーザが希望枚数を入力する。また、各番組のデータ量であるが、近年発売されているＤＶＤレコーダーに標準的な録画モードとして採用されているビットレートは約５Ｍｂｐｓ（メガビット毎秒）であり、１時間あたりの記録容量は約２Ｇｂｙｔｅとなる。図５のそれぞれの番組も１時間番組であり２Ｇｂｙｔｅとする。この条件下において、図６のダビング用分割リスト３０４では、１番組群（１枚のディスクに収容する総番組）あたりの容量が４．７Ｇｂｙｔｅを超えないように番組群を３分類することを考えると、図６に示すように、録画日付が古い番組から順に２番組ずつの３番組群に分類すればよい。
【００２５】
こうして、順次３枚までディスクを挿入していき、分類番号１、２、３の番組群のダビングを行う。まず１枚目のディスクを挿入すると、分類番号１の番組群のダビングが開始される。図６の場合、ディスク１枚当たりに記録する番組群のデータ量よりディスク１枚の容量に余裕があるため、ハードディスク１０７からＤＶＤ−Ｒ１０６へのデータ複写（前述の第一のダビング方法）による高速ダビングが可能となる。ダビングが終了すれば、ディスクの交換を促すメッセージを表示し、２枚目のディスクをユーザーが挿入すれば、分類番号２の番組群のダビングが開始される。以降、同様にして全ての番組群のダビングが行われることとなる。
【００２６】
実施の形態２．
ハイブリッドレコーダーには電子番組ガイド（ＥＰＧ＝Ｅｌｅｃｔｒｉｃ  Ｐｒｏｇｒａｍ  Ｇｕｉｄｅ）を取得できる機能（図示しないが電子番組ガイド受信装置という）を持った装置もある。ＥＰＧから得られる番組に関する情報には、番組の「番組名」、「ジャンル」などがある。これらは実施の形態１ではユーザが入力すると説明したが、人が入力する代わりに予約録画を行った番組から一連の番組を抽出し関連付ける為の情報として、それらのＥＰＧから得られる情報を用いてもよい。
図８は、実施の形態２の記録再生装置の構成を示すブロック図である。図中の各符号が実施の形態１の図１、図７と同じものは同一または相当部分を示し、その詳細な説明は省略する。図において、予約録画制御手段１１５には、映像音声信号に重畳されるなどして伝送されるＥＰＧ（Ｅｌｅｃｔｒｉｃ  Ｐｒｏｇｒａｍ  Ｇｕｉｄｅ）情報を取得するＥＰＧ取得手段１１４が接続されている。予約録画制御手段１１５は時計１１３の時刻情報やＥＰＧ取得手段１１４で取得したＥＰＧを元に、番組を予約録画する場合の予約録画全般を制御する。
【００２７】
録画時の録画動作については、実施の形態１の場合と同様なので説明を省略する。本実施形態２において、関連付け手段１０８がダビングＩＤを付加する際の動作の詳細を、フローチャートを用いて詳しく説明する。
【００２８】
図９において、ステップＳ２００からステップＳ２０２までは、実施の形態１の図４の場合と同じであるので説明を省略する。ステップＳ２０２においてチャンネル判別部１０８ｄが、新たに予約した番組のチャンネルと、チャンネルが一致する番組があるかどうかを判別した後、一致する番組があればステップＳ２１０に移り、タイトル判別部１０８ｅが、ＥＰＧにて取得したタイトル名の一部（例えば最初から５文字）または全部が一致しているものがあるか否かを判別する。一致する番組があればステップＳ２１１に移り、なければ処理を終了する。ステップＳ２１１において、ジャンル判別部１０８ｆが、同じくＥＰＧにて取得したジャンル名と一致（判別文字数は上記タイトル名と同様）する番組があるかどうかを判別し、一致した番組があればステップＳ２０３に移り、なければ処理を終了する。また、ステップＳ２０３以降の処理については、実施の形態１の図４の場合と同じであり説明を省略する。
【００２９】
こうして、ＥＰＧから得られる情報も利用して、関連のある一連の番組を抽出することができ、より高い精度で番組抽出を行うことが可能である。なお、抽出された番組を複数番組群に分類し、複数枚のディスクへとダビングする際の処理は実施の形態１の場合と同じであり、説明を省略する。
【００３０】
実施の形態３．
実施の形態１では、ハードディスクにも、ＤＶＤ−Ｒにもともに標準的なモードのビットレートである約５Ｍｂｐｓで番組を記録する場合について説明した。しかし、使用するＤＶＤ−Ｒディスクの容量、枚数、想定される一連の番組の番組数（ドラマを例に取ると連続総話数）、および初回に予約録画を行った際の録画時間とから、２回目以降に録画するビットレートを演算して設定してもよい。特に、連続ドラマの放送時間は何話目かによらず同じ長さであることが多いため、２回目以降も初回と同じ録画時間に設定しても、ほとんどの場合は間違ってはいないため、この手法が有効となる。
【００３１】
例えば、使用する第二の記録媒体のディスクが４．７ＧｂｙｔｅのＤＶＤ−Ｒで使用枚数が３枚、一連の番組数の予想が１２番組であったとし、予約録画が設定された一連の初回番組の長さが１時間であるとする。この場合、ディスク１枚当たりに記録することが必要な番組長は
１２番組×１時間÷３枚＝４時間となる。
したがって、
４．７Ｇbyte÷（４時間×３６００秒／時間）×８ｂｉｔ（ビット）≒２．６Ｍｂｐｓ
に各番組を符号化する際の符号化ビットレートを設定し、受信した放送番組をハードディスク１０７にその符号化ビットレートで記録しておく。これにより、ダビングの際には、データをそのまま複写することにより、高速なダビングが可能となると共に、第二の記録媒体のディスクの容量全てを有効に使用することが可能となる。上記演算は予約録画制御手段１１５内の図示しないビットレートート指定部で行われる。なお、この場合はユーザが希望枚数を入力する前に「総必要枚数」が判明しているので、実施の形態１の図５の説明で述べた「希望する使用枚数」の欄に最初から数値が表示されていて、ユーザが了承（図示しない決定スイッチを押す）すればその枚数が確定するようにしておく。
【００３２】
実施形態４．
実施の形態１では、使用するディスクの枚数はユーザーに設定させるとしたが、抽出した番組個々のデータの量および番組群の総データ量とから自動で枚数を決定してもよい。
【００３３】
例えば、実施の形態１の図５のダビング用番組リスト３０１のように、番組群が抽出されたと仮定し、使用するディスクは容量が４．７ＧｂｙｔｅであるＤＶＤ−Ｒを用いることとする。
１枚に記録可能な番組数は  （１枚の容量÷１番組のデータ量）で求めた数値の整数部分をとることで求められる。即ち４．７÷２＝２．３５であるから、２番組ずつに分類すればそれぞれディスクに入ることとなり、全６番組は、３枚のディスクを使用すれば収容できる。この演算は分類手段１０９のディスク配分決定部１０９ｂで実行される。
【００３４】
実施形態５．
実施の形態１では、ディスクへのダビング時にデータの複写による高速ダビングを行う場合について説明したが、ディスク１枚当たりに記録する番組群のデータ総量のほうが、ディスク１枚の容量より大きくなってしまう場合には、当該ディスクの番組群を一旦ＭＰＥＧデコードした後、リムーバブル記録媒体の容量に応じた符号化ビットレートにて再度ＭＰＥＧエンコードすれば、リムーバブル記録媒体の容量を余らせることなく、ダビングを行える利点がある。即ち、容量が足りないディスクにダビング予定の全ての番組に対して一旦ＭＰＥＧデコードして、再度ＭＰＥＧエンコードする。
【００３５】
例えば、図１０のダビング用番組リスト３１０に示すような番組群が、あらかじめ付加しておいたダビングＩＤ（図では００３）により抽出されたとする。この場合、４１番の最後の番組のみが３Ｇｂｙｔｅとなっているため、ディスクが４．７Ｇｂｙｔｅであるとすると、図１１のダビング用分割リスト３１１ａ，３１１ｂ，３１１ｃのように番組群を分類しても、３枚目のディスクではデータ量が５Ｇｂｙｔｅとなり、入りきらない。したがって、１、２枚目のディスクにダビングする際はデータの複写による高速ダビングを用いて、３枚目のディスクのダビングの際のみ、該当する３９番および４０番および４１番の番組を一旦ＭＰＥＧデコードして、再度ＭＰＥＧエンコードすることにより１枚のディスクにちょうど入る容量に変更するようにする。その場合の符号化ビットレートは、使用するディスクの容量及びダビングする番組の長さの和とから求められ、
４．７Gbyte÷｛（０.５＋０.５＋１.５）時間×３６００秒／時間｝×８ｂｉｔ≒４．２Mbps
であれば、ちょうどディスク１枚に入るデータ量となる。ただし、ダビング時間は
ダビングする番組の長さの総和（ダビング用分割リスト上の番組の総時間）即ち２．５時間かかることになる。
【００３６】
実施の形態６．
また、ディスクに記録される全ての番組に対して一旦ＭＰＥＧデコードして、再度ＭＰＥＧエンコードするのではなく、ユーザーが選択した任意の番組のみ前記一旦ＭＰＥＧデコードし再度ＭＰＥＧエンコードするダビング方法を用い、それ以外の番組に対しては高速ダビングを行ってもよい。例えば、図１１の３枚目のディスクへのダビングにおいて、３９番および４０番の番組のダビングは高速ダビングを用いてダビングし、４１番の番組のダビングのみを上記手法を用いてもよい。この場合はダビング時間を短縮することが可能であるが、４１番の番組のビットレートがディスクの容量および３９番および４０番の番組のデータ量によっては、かなり低くなることになり、画質が悪くなる可能性がある。図１１の場合に本方法を適用した場合、４１番の番組のビットレートは、
（４．７Gbyte−２Gbyte）÷（３／２時間×３６００秒／時間）×８ｂｉｔ≒４Ｍｂｐｓ
となる。
【００３７】
３９番および４０番の番組に対する高速ダビングが８倍速で実行可能だとすれば、ダビング時間は
１時間÷８＋１．５時間＝１．６２５時間となり、実施の形態５のようにした場合の２．５時間に比して、ダビング時間の増加を最小限に抑えることができる。
ここで、実施の形態５と実施の形態６の方法とには一長一短がある。どちらを選択するかはユーザの好みにより決定すればよいことであるが、一つの方法としては、まず、基本的に実施の形態６の方法をとることとし、その結果、１つのディスクの中のビットレートの比率が１：０．７を超える場合には、一つの番組の質が目だって低下すると判断して警告（例えば、「最後の番組の画像品質が著しく低下します」）が表示されるようにしてもよい。ユーザはこの警告を見て改めて実施の形態５の方法を取り直せばよい。ユーザが番組を指定するには図示しない番号打ち込みボタン（番組指定手段という）を用いる。
【００３８】
実施の形態７．
実施の形態１〜実施の形態６までの操作は、過去の記録済み番組の抽出がほぼ自動化されているとはいえ、一部のユーザによっては、なお複雑で難しい操作である。そこで、専用の押しボタンを設けておき、ダビングＩＤの付加を行うことから、ダビングを終了するまでの一連の処理を、押しボタンを１回操作するのみで終了できるようにすれば、ユーザーに複雑な操作を要求することなく、簡単な操作を行うのみで所望のダビング動作を完了できる。
【００３９】
図１２は、本発明の記録再生装置の概略の構成を示すブロック図である。図において、チューナ１０１はアンテナで受信した電波から所望のチャンネルを選局する。チューナ１０１の信号は切替スイッチ１０２を経由してデジタル化された映像信号を映像音声データにＭＰＥＧエンコードする符号化手段１０３に入力される。符号化手段１０３の出力は入出力を自由に切り換えられる３端子のマトリックススイッチ１０４に入力される。
マトリックススイッチ１０４から、ＤＶＤ−Ｒなどのリムーバブル記録媒体に符号化手段１０３の出力などを記録し再生する第二の記録再生手段１０５に入力される。第二の記録再生手段１０５の記録媒体はＤＶＤ−Ｒの記録媒体１０６である。
マトリックススイッチ１０４からハードディスク１０７に符号化手段１０３の出力などを記録し再生する第一の記録再生手段１１０にも接続されている。第一、第二の記録再生手段１０５、１１０のＭＰＥＧエンコードされている映像音声データはマトリックススイッチ１０４を介して、これらの信号をアナログ映像音声信号にＭＰＥＧデコードする復号化手段１１１に入力される。
【００４０】
また、映像音声信号に重畳されるなどして伝送されるＥＰＧ（Ｅｌｅｃｔｒｉｃ  Ｐｒｏｇｒａｍ  Ｇｕｉｄｅ）情報を取得するＥＰＧ取得手段１１４を有する。時計１１３の時刻情報やＥＰＧ取得手段１１４で取得したＥＰＧを元に番組を予約する場合の、予約録画全般を制御する予約録画制御手段１１５を有する。関連付け手段１０８は予約録画制御手段１１５からの情報に基づき関連ある番組にダビング用ＩＤを与える。分類手段１０９はダビング用ＩＤにより関連付けられた複数番組をｍ個（ｍは自然数）に分類する。また図示しないユーザが各種設定操作を行うための図示しない押しボタンなどに接続されたユーザーＩＦ１５０を備えている。また、押下すると、この信号を受けて、予約録画制御手段１１５が、録画済み番組リストから関連ある一連の番組を抽出して関連付け、さらにｍ個の番組群に分類した後、ｍ枚のＤＶＤ−Ｒ１０６へ番組群のダビングを順次行うダビング開始ボタン１６０を備えている。
【００４１】
記録時の動作については実施の形態１の場合とほとんど同じであるが、録画時にダビングＩＤを付加することはなく、図３の録画済み番組リスト３０２上に新たに追加される番組にはダビングＩＤは付加されない。即ち、関連付け手段１０８によるダビングＩＤの付加は、第一の記録媒体１０７へ記録済みの番組データに対してのみ実行される。
【００４２】
次に、ダビング開始ボタン１０６によるダビング実行時の動作について説明する。本体または図示しないリモコンに配置されたダビング開始ボタン１６０が押されると、ユーザーＩＦ１５０を介して以下の処理が実行される。
まず、関連付け手段１０８にて記憶しておいた録画済み番組リスト３０２の各番組に対して、録画開始時刻および終了時刻および曜日およびチャンネルの情報が一致する他の番組があるかどうかを判別する。もしあれば、情報が一致した全ての番組に同じダビングＩＤを付加する。情報が一致した複数番組中にダビングＩＤが付加されている番組があれば、そのＩＤを一致した全ての番組にも付加する。詳しい処理は図２の場合のフローチャートと同じであるため、説明を省略する。
【００４３】
こうして、ダビングＩＤが付加された番組を抽出してダビング用番組リスト３０３を生成する。ダビング用番組リストの生成が終われば、抽出した一連の複数番組を、ディスク枚数ｍに応じて（ディスク枚数ｍは実施の形態４で説明した方法により自動的に決定される。）、ｍ個に自動分類し、順次ディスクへのダビングを行っていく。以上の一連の流れは予約録画制御手段１１５が管理し制御する。
【００４４】
もし、異なるダビングＩＤが付加された番組群が複数個存在する場合は、図１２に示すように「複数個の番組群があります。ダビングする番組群を選択してください。」という意味の表示を出して、ユーザーに選択させてもよいし、ダビング不可能と判別して処理を終了してもよい。選択するにはＩＤが付けられて表示された録画済番組リストを見て希望のＩＤを入力すればよい。
【産業上の利用可能性】
【００４５】
この発明の記録再生装置は、家庭用／業務用ハイブリッド録画／再生装置として、テレビ番組、音楽番組、なとの録画／編集／再生に利用することが出来る。
【図面の簡単な説明】
【００４６】
【図１】この発明の実施の形態１の記録再生装置の構成を示すブロック図である。
【図２】図１の記録再生装置の予約録画番組の一覧を示す予約録画リストである。
【図３】図１の記録再生装置の録画済み番組の一覧を示す録画済番組リストである。
【図４】図１の記録再生装置の関連ある一連の番組にＩＤを付加する際の処理のフローチャートである。
【図５】図１の記録再生装置において、関連ある一連の番組を抽出したダビング用番組リストである。
【図６】図１の記録再生装置において、抽出したダビング用番組リストの番組をディスク枚数に分類したダビング用分類リストである。
【図７】図１の記録再生装置のブロックの一部詳細ブロック図である。
【図８】この発明の実施の形態２の記録再生装置のブロック図である。
【図９】図８の記録再生装置における関連ある一連の番組にＩＤを付加する際の処理のフローチャートである。
【図１０】この発明の実施の形態５における関連ある一連の番組を抽出したダビング用番組リストである。
【図１１】この発明の実施の形態５における抽出したダビング用番組リストの番組をディスク枚数に分類したダビング用分類リストである。
【図１２】この発明の実施の形態６における記録再生装置の概略の構成を示すブロック図である。
【図１３】この発明の実施の形態７におけるダビング時の選択画面表示の一例である。
【符号の説明】
【００４７】
１０１  チューナ、        １０２  切り換えスイッチ、      １０３  符号化手段、
１０４  マトリックススイッチ、      １０５  第二の記録再生手段、
１０６  ＤＶＤ−Ｒ、    １０７  ハードディスク、      １０８  関連付け手段、
１０９  分類手段、      １１０  第一の記録再生手段、    １１１  復号化手段、
１１３  時計、      １１４  ＥＰＧ取得手段、      １１５  予約録画制御手段、
１５０  ユーザーＩＦ、        １６０  ダビング開始ボタン。
【図１】
0004738238.tif 000002
【図２】
0004738238.tif 000003
【図３】
0004738238.tif 000004
【図４】
0004738238.tif 000005
【図５】
0004738238.tif 000006
【図６】
0004738238.tif 000007
【図７】
0004738238.tif 000008
【図８】
0004738238.tif 000009
【図９】
0004738238.tif 000010
【図１０】
0004738238.tif 000011
【図１１】
0004738238.tif 000012
【図１２】
0004738238.tif 000013
【図１３】
0004738238.tif 000014